(57)【要約】【課題】  複写といった基本動作を数値の組み合わせによる複数桁のキーコードで割り当てることで視覚障害の人が、操作部が備えるテンキーを利用してキーコードを入力することにより、複写といった基本動作を行うことができる画像形成装置を提供することを目的とする。【解決手段】  キーコードモードへ移行するためのキーコードをテンキー３２を利用して入力し、用紙設定、変倍設定、片面コピー・両面コピーといった基本動作に対して割り当てされたキーコードを入力する（ステップＳ１０６〜ステップＳ１０８）。【選択図】  図４
2006086683.tif 000002
【特許請求の範囲】
【請求項１】
複写を行うための操作内容を表示する表示手段と、画像形成を行うための設定を行う入力手段を有する画像形成装置において、
前記表示手段によって表示される操作内容を複数桁の数値を組み合わせたキーコードに割り当てる割当手段と、
前記表示手段によって表示される操作内容に従って操作を行う通常操作モードと、前記割当手段によって操作内容を複数桁の数値に割当られたキーコードを前記入力手段によって入力して前記キーコードに割り当てられた操作内容を実行するキーコードモードとを切り替える切替手段と、
前記入力手段によって入力されたキーコードから前記操作内容を実行するか前記切替手段によって通常操作モードとキーコードモードとの切り替えを行うかを判断する判断手段を有することを特徴とする画像形成装置。
【請求項２】
前記割当手段は、前記キーコードモード中にも前記通常操作モードへ切り替えるキーコードを割り当てることを特徴とする請求項１記載の画像形成装置。
【請求項３】
前記割当手段は、前記複数桁の数値の組み合わせを変更可能とすることを特徴とする請求項１または２記載の画像形成装置。
【請求項４】
前記入力手段によって入力された前記キーコードに応じた操作内容を前記表示手段によって画面に表示することを特徴とする請求項１記載の画像形成装置。
【発明の詳細な説明】
【技術分野】
【０００１】
本発明は、画像形成装置に関し、特に、通常の操作と複数桁の数値に割り当てられたキーコードを利用した操作とを切り換え可能な画像形成装置に関する。
【背景技術】
【０００２】
近年、例えば複写機の小型化、省スペース化が市場の要望としてあり、省スペースを実現するため、デジタル複写機に各種機能として、コピーアプリケーションに加えて、プリンタアプリケーション、ファクシミリアプリケーション等のオプションのアプリケーションを付加し、デジタル複写機が保有するリソース、例えば画像読取装置、画像形成装置、操作部、メモリ、周辺機等のデバイスを共有させることによって省スペース、低コストを実現すると共にユーザの要望に応じてコピーアプリケーションによるコピー動作中であってもファクシミリアプリケーションによってＦＡＸ受信動作やプリント動作を行ったり、ＦＡＸアプリケーションによる原稿の画像読取動作中にプリンタアプリケーションによってプリンタ動作を行うなどのマルチ動作を実現したものがある。
【０００３】
このようなデジタル複合機は、コピーモードあるいはＦＡＸ送信モードの設定の繁雑さを解消させるために、よく利用するコピーモード（用紙サイズ、コピーモード、両面コピーモード等）やＦＡＸ送信モード（宛先、文字サイズ、読み取り濃度等）をメモリに記憶させておいて、それを簡易なキー操作によって呼び出すことができる画像形成システムがある。
また、上記に示す技術と類似した従来技術として、以下に示すものがある。
特開平１０―２９４８１３号公報（以下、特許文献１）には、予め登録したＦＡＸモード又はコピーモードの画面を表示させる際の操作性を向上させために、テンキー（「０」〜「９」）が押下された時には、その押下によって入力された数字に対して登録されているコピーモードの内容を呼び出してディスプレイ上に表示する。また、ＦＡＸ短縮キー群（「００」〜「２８」）のいずれかのキーが押下された時には、そのキーに対して登録されているＦＡＸモードの内容を呼び出して、その画面をディスプレイ上に表示する画像形成システムが記載されている。
【０００４】
また、特開平２００２―５７８２８号公報（以下、特許文献２）には、ファクシミリキー、コピーキーを操作しなくても、複写を行う場合の初期画面である複写初期画面と、画像通信を行う場合の初期画面である画像通信初期画面とを自動的に、しかも適切に、選択するために、テンキーを利用し、３桁以上入力したり、または、始めに０を入力したりすることによって、画像通信初期画面に自動的に切り替わることができる複合機能の画像形成装置が記載さている。
【特許文献１】特開平１０−２９４８１３号公報
【特許文献２】特開２００２−５７８２８号公報
【発明の開示】
【発明が解決しようとする課題】
【０００５】
しかしながら、上記に挙げられる画像形成装置では、タッチパネルを利用して複写を行うものであり、こういったタッチパネル入力方法は、晴眼者が利用するには問題はないが、視覚障害者あるいは何らかの理由によって視覚を使えない状況にあるユーザはタッチパネルを認識することができず、複合機の操作を困難にさせてしまう。
【０００６】
本発明は係る問題に鑑みてなされたものであり、タッチパネルを利用せずに操作内容が割り当てられたキーコードを使用することで晴眼者や視覚障害者問わずに利用することができる画像形成装置を提供することを目的とする。
【課題を解決するための手段】
【０００７】
上記目的を達成するために、請求項１記載の画像形成装置は、複写を行うための操作内容を表示する表示手段と、画像形成を行うための設定を行う入力手段を有する画像形成装置において、表示手段によって表示される操作内容を複数桁の数値を組み合わせたキーコードに割り当てる割当手段と、表示手段によって表示される操作内容に従って操作を行う通常操作モードと、割当手段によって操作内容を複数桁の数値に割り当てられたキーコードを入力してキーコードに割り当てられた操作内容を実行するキーコードモードとを切り替える切替手段と、入力手段によって入力されたキーコードから操作内容を実行するか切替手段によって通常操作モードとキーコードモードとの切り替えを行うかを判断する判断手段を有することを特徴とする。
【０００８】
請求項２記載の発明は、請求項１記載の画像形成装置であって、割当手段は、キーコードモード中にも通常操作モードへ切り替えるキーコードを割り当てることを特徴とする。
【０００９】
請求項３記載の発明は、請求項１または２記載の画像形成装置であって、割当手段は、複数桁の数値の組み合わせを変更可能とすることを特徴とする。
【００１０】
請求項４記載の発明は、請求項１記載の画像形成装置であって、入力手段によって入力されたキーコードに応じた操作内容を表示手段によって画面に表示することを特徴とする。
【発明の効果】
【００１１】
以上の説明から請求項１記載の発明によれば、複写の基本動作となる操作内容を予め複数桁の数値を組み合わせたキーコードに割り当てることで、キーコードを入力するだけで複写の基本動作を行うことができる。また、キーコードを利用するキーコードモードと表示手段に表示された操作内容から複写を行う通常操作モードを切り替える手段を有することで、キーコードモード中にも通常操作モードへ切り替えることができる。
【発明を実施するための最良の形態】
【００１２】
次に添付図面を参照して、本実施形態を説明する。
図１は、複写機の一例を示した図である。
自動原稿送装置（以下、ＡＤＦ）にある原稿台２に原稿の画像面を上にして置かれた原稿束は、操作部３０上のプリントキー３４が押下されると、一番下の原稿から給送ローラ３、給送ベルト４によってコンタクトガラス６上の所定の位置に給送される。
【００１３】
一枚の原稿を給送完了により原稿枚数をカウントアップするカウント機能を有している。給送された原稿は読取ユニット５０によってコンタクトガラス６上の原稿の画像データを読み取り後、読み取りが終了した原稿は、給送ベルト４及び排送ローラ５によって排出される。さらに、原稿セット検知７にて原稿台２に次の原稿が有ることを検知した場合に、前原稿と同様にコンタクトガラス６上に給送される。給送ローラ３、給送ベルト４、排送ローラは搬送モータ２６によって駆動される。
【００１４】
第１トレイ８、第２トレイ９、第３トレイ１０に積載された転写紙は、各々第１給送装置１１、第２給送装置１２、第３給送装置１３によって給紙され、縦搬送ユニット１４によって感光体１５に当接する位置まで搬送される。読み取りユニット５０にて読み込まれた画像データは、書き込みユニット５７からのレーザによって感光体１５に書き込まれ、現像ユニット２７を通過することによってトナー像が形成される。
【００１５】
そして、転写紙は感光体１５の回転と等速で搬送ベルト１６によって搬送されながら、感光体１５上のトナー像が転写される。その後、定着ユニット１７にて画像を定着させ、排紙ユニット１８によって後処理装置のフィニッシャ１００に排出される。後処理装置のフィニッシャ１００は、本体の排紙ユニット１８によって搬送された転写紙を、通常排紙ローラ１０２方向と、ステープル処理部方向へ導くことができる。
【００１６】
切り替え板１０１を上に切り替えることにより、搬送ローラ１０３を経由して通常排紙トレイ１０４側に排紙することができる。また、切り替え板１０１を下方向に切り替えることで、搬送ローラ１０５、１０７を経由してステープル台１０８に搬送することができる。ステープル台１０８に積載された転写紙は、一枚排紙されるごとに紙揃え用のジャガー１０９によって、紙端面が揃えられ、一部のコピー完了と共にステープラ１０６によって綴じられる。ステープラ１０６で綴じられた転写紙群は自重によって、ステープル完了排紙トレイ１１０に収納される。一方、通常の排紙トレイ１０４は前後に移動可能な排紙トレイである。前後に移動可能な排紙トレイ部１０４は、原稿毎、あるいは、画像メモリによってソーティングされたコピー部毎に、前後に移動し、簡易的に排出されてくるコピー紙を仕分けるものである。
【００１７】
転写紙の両面に画像を作像する場合は、各給紙トレイ８〜１０から給紙され作像されて転写紙を排紙トレイ１０４側に導かないで、経路切り替えの為の分岐爪１１２を上側にセットすることで、一旦両面給紙ユニット１１１にストックする。その後、両面給紙ユニット１１１にストックされた転写紙は再び感光体１５に作像されたトナー画像を転写するために、両面給紙ユニット１１１から再給紙され、経路切り替えの為の分岐爪１１２を下側にセットし、排紙トレイ１０４に導く。
【００１８】
このように転写紙の両面に画像を作成する場合に両面給紙ユニット１１１は使用される。感光体１５、搬送ベルト１６、定着ユニット１７、排紙ユニット１８、現像ユニット２７はメインモータ２５によって駆動され、各給紙装置１１〜１３はメインモータ２５の駆動を各々給紙クラッチ２２〜２４によって伝達駆動される。縦搬送ユニット１４はメインモータ２５の駆動を中間クラッチ２１によって伝達駆動される。
【００１９】
次に、図２は図１に示す複写機の設けられる操作部の構成を示した図である。
操作部３０は、液晶タッチパネル３１、テンキー３２、クリア／ストップキー３３、プリントキー３４、予熱キー３５、リセットキー３６、初期設定キー３７から構成されている。液晶タッチパネル３１は、ユーザが液晶タッチパネル３１に表示されたキーにタッチすることで、選択された機能を示すキーが黒く反転する。また、機能を詳細を指定しなければならない場合は（例えば、ページ印字の種類等）、キーにタッチすることで詳細機能の設定画面が表示される。よって、液晶タッチパネル３１は、ドット表示器を使用していることで、その時の最適な表示をグラフィカルに行うことができる。
【００２０】
初期設定キー３７を押すことで、機械の初期状態を任意にカスタマイズすることが可能である。機械が収納している用紙サイズを設定したり、コピー機能のリセットキーを押下したときに設定される状態を任意に設定可能である。また、一定時間操作が無いときに優先して選択されるアプリケーション等も選択すること、低電力への移行時間の設定やオートオフ／スリープモードへの移行する時間を設定することが可能である。
【００２１】
予熱キー３５を押下すると、複写機は待機状態から電力低減状態に移行し、定着温度を低下させたり、操作部の表示を消灯したりする。予熱状態は低電力状態を意味し、また、予熱状態、オフ状態／スリープ状態を解除し、待機状態に移行させるには、予熱キー３５を再度押下する。
【００２２】
ユーザは、図２に示すテンキー３２を利用して、キーコードモードへ移行させることができる。例えば、テンキー３２の凹凸のある数値「５」キーを中心に、複数のキーを続けて押下することで、キーコードモードへ移行させることができる。なお、初期設定キー３７を押下してカスタマイズできる初期状態の中で、キーコードモード移行を有効にするか、しないかを選択することができる。
【００２３】
次に図３、４を参照して、本実施形態の画像形成装置の処理動作を説明する。
まず、通常の複写を行う場合の処理動作を説明する。
ユーザは、初期画面状態の操作部３０において、キーコードモードを利用するか判断する（ステップＳ１０１）。キーコードモードを利用しない場合は（ステップＳ１０１／ＮＯ）、次に、タッチパネル等の画面での操作を行う（ステップＳ１０２）。ユーザは、操作部３０が有する液晶タッチパネル３１やテンキーを利用して用紙サイズや変倍設定、複写枚数を決定する。
【００２４】
次に複写動作を行い（ステップＳ１０３）、さらに複写を行うか判断する（ステップＳ１０４）。さらに複写を行う場合には（ステップＳ１０４／ＹＥＳ）、ステップＳ１０１のキーコードモードを利用するかの判断を行う。また、さらに複写を行わない場合は（ステップＳ１０４／ＮＯ）、そのまま終了となる。
【００２５】
次に、キーコードモードを利用して複写を行う場合の処理動作について説明する。
ユーザは、初期画面状態の操作部３０において、キーコードモードを利用するか判断する（ステップＳ１０１）。キーコードモードを利用する場合（ステップＳ１０１／ＹＥＳ）、キーコードモードへ移行するためのキーコードを入力する（ステップＳ１０５）。
【００２６】
キーコードモードへ移行するためのキーコードは、初期画面状態からキーコードモードへ移行するためのものであり、予め設定された数字を操作部３０が有するテンキーの数値を押下することでキーコードモードへ移行する。キーコードモードへ移行した場合に、複写を行う動作として用紙設定、変倍設定、片面か両面印刷かを設定して複写を行う。これらの動作を図３に示すように予め動作ごとに割り当てられたキーコードがある。
【００２７】
図３に示すように、一番目に押下するキーコードは用紙設定を行うものであり、二番目に押下するキーコードは変倍設定を行うものであり、３番目に押下するキーコードは片面か両面かを選択するものである。
ここで、ユーザが同じ内容の書類を「Ａ４」、「自動」、片面で２０枚の複写を行う場合で説明をする。
まず、ステップＳ１０５でキーコードを入力しキーコードモードへ移行すると、まず、用紙設定を行う（ステップＳ１０６）。ここでは、ユーザは「Ａ４」を示すキーコード「４」を押下する（ステップＳ１０６／ＹＥＳ）。また、キーコードモードを解除する場合は（ステップＳ１０６／ＮＯ）、「０」を押下する。
【００２８】
次に、変倍設定を行う（ステップＳ１０７）。ここでは、ユーザは「自動」を示すキーコード「５」を押下する（ステップＳ１０７／ＹＥＳ）。また、変倍設定をキャンセルする場合は（ステップＳ１０７／ＮＯ）、「０」を押下し、ステップＳ１０６の用紙設定から行う。次に、片面コピーか両面コピーのどちらを行うかの判断をする（ステップＳ１０８）。「片面」を選択した場合（ステップＳ１０８／ＹＥＳ）、次に、枚数を設定し、ここでは、２０枚複写をするので、テンキー３２で「２０」と押下し、複写動作を行い（ステップＳ１０３）、さらに続けて複写を行うかの判断をする（ステップＳ１０４）。続けて複写を行う場合は（ステップＳ１０４／ＹＥＳ）、ステップＳ１０１へ戻る。複写を行わない場合は（ステップＳ１０４／ＮＯ）、そのまま終了となる。
また、片面コピーもしくは両面コピーの選択をキャンセルする場合は（ステップＳ１０８／ＮＯ）、ステップＳ１０７へ戻る。
なお、上記に示したキーコードモード時に、入力したキーコードを液晶タッチパネル３１の表示させることもできる。
【００２９】
次に、図５を参照してキーコードの割り当ての処理動作を説明する。
複写の基本動作である用紙設定、変倍設定、片面・両面の設定をキーコードに割り当てる場合に、設定画面を操作部３０の液晶タッチパネル３１に表示して、画面上で設定を行う。まず、用紙設定の数値（キーコード）を決定する（ステップＳ２００）。ここでは、液晶タッチパネル３１に各用紙サイズのボタンが表示され、例えば「Ａ４」のキーコードを「４」にする場合は、液晶タッチパネル３１の「Ａ４」の表示キーをタッチし、テンキー３２の「４」を押下し、確定の場合には「＃」を押下する。このように用紙設定の数値を決定したら（ステップＳ２００／ＹＥＳ）、次に変倍設定の数値を決定する（ステップＳ２０１）。また、用紙設定をキャンセルし、やり直す場合は（ステップＳ２００／ＮＯ）、ステップＳ２００の動作をやり直す。
【００３０】
変倍設定の数値を決定する場合には、例えば「等倍」のキーコードを「４」にするとしたら、液晶タッチパネル３１の「等倍」の表示キーをタッチし、次にテンキー３２の「４」を押下し、確定の場合は「＃」を押下する。変倍設定の数値の決定をキャンセルする場合は（ステップＳ２０１／ＮＯ）、もう一度ステップＳ２０１の動作を繰り返す。
【００３１】
次に、片面・両面の数値を決定する（ステップＳ２０２）。「片面」を「５」とする場合には、液晶タッチパネル３１の「片面」の表示キーをタッチし、テンキー３２の「５」を押下し、確定の場合は「＃」を押下する。また、キャンセルする場合は（ステップＳ２０２／ＮＯ）、もう一度ステップＳ２０２の動作を繰り返す。
【００３２】
次に、全ての設定のキーコードが終了したかを判断する（ステップＳ２０３）。終了した場合には（ステップＳ２０３／ＹＥＳ）、そのまま終了となり、設定をもう一度やり直す場合は（ステップＳ２０３／ＮＯ）、ステップＳ２００へ戻る。
【００３３】
以上の説明から、本実施形態の画像形成装置は、複写の基本動作を決定する時に液晶タッチパネル３１を利用して行うが、視覚障害者といった液晶タッチパネル３１を認識するのが困難なユーザに対して、テンキー３２を利用し、複写の基本動作を予め設定された数値を押下させることで複写を行うことができるものである。また、複写の基本動作である用紙設定や変倍設定に割り当てられる数値を変更することも可能であり、また、利用回数が多い用紙や変倍処理をテンキー３２の中で押下しやすい数値に設定することも可能である。
【図面の簡単な説明】
【００３４】
【図１】本実施形態における複写機の一例を示した図である。
【図２】本実施形態の操作図の構成を示した図である。
【図３】本実施形態のキーコードの例を示した図である。
【図４】本実施形態の操作部における処理動作を示した図である。
【図５】本実施形態のキーコードの割り当ての処理動作を示したフローチャートである。
【符号の説明】
【００３５】
３０    操作部
３１    液晶タッチパネル
３２    テンキー
３３    クリア／ストップキー
３４    プリントキー
３５    予熱キー
３６    リセットキー
３７    初期設定キー
【図１】
2006086683.tif 000003
【図２】
2006086683.tif 000004
【図３】
2006086683.tif 000005
【図４】
2006086683.tif 000006
【図５】
2006086683.tif 000007